(57)【特許請求の範囲】
【請求項１】
粘着テープ清掃用具において、粘着テープは、支持シャフトと支持アームと支持グリップとテープホルダーからなる支持具により回転自在に成っていて、支持アームにカバーシャフトを溶着して、前の上カバーと後の上カバーとリフトバーを有する前の横カバーとリフトバーを有する後の横カバーはそれぞれ独立した板状であり、カバーシャフトに前後の上カバーがカバーシャフトを支点に扇転自在装着され、カバーシャフトにカバー拡張スプリングが装着されている、と共に、前の上カバーと前の横カバー、後の上カバーと後の横カバーとはジョイント軸によりそれぞれ扇転自在に繋がっていて、前記リフトバーと、支持シャフトが貫通するリフトハンドルを繋げてあり、リフトハンドルの移動により上カバーと横カバーは折り畳み自在であって、支持グリップに形成されたハンドルフックとリフトハンドルに設けられたハンドルフック穴は脱着容易に係止出来る事を特徴とする粘着テープ清掃用具。
【請求項２】
前記リフトバーにリフト穴を設け、前記リフトハンドルには、支持シャフトが貫通するシャフトスライド穴と、シャフトスライド穴の上下にリフトバー空間と、リフト軸が設けてあって、リフト穴にリフト軸挿入して、リフトバーとリフトハンドルを繋いでいる事を特徴とする事を特徴とする請求項１に記載の粘着テープ清掃用具。
【請求項３】
前記支持グリップに二本の切り込みを設け、切り込み端にハンドルフックと二本の切り込み間に解除ボタンが形成されていて、ハンドルフックとリフトハンドルに設けたハンドルフック穴との係止を解いて、上カバーと横カバーはカバー拡張スプリングにより広げられ立置き可能に成っていて、支持グリップエンドから穴を形成して穴に延長竿を装着するための螺子山を設けている事を特徴とする請求項１又は請求項２に記載の粘着テープ清掃用具。
【請求項４】
粘着テープ清掃用具において、支持グリップと、覆い装着梁と、サイドアームから成る支持具のサイドアーム端にフィンガーフックとテープホルダー軸を形成して、粘着テープの左右にテープホルダーを装着して、左右のテープホルダーにテープホルダー軸受を設け、テープホルダー軸受にテープホルダー軸を挿入して、粘着テープは回転自在に成っていて、粘着テープを覆う覆いは、前上カバーと、前横カバーと、後ろ上カバーと、後ろ横カバーとに４分割されて、
覆い装着梁の前上カバー連結軸と前上カバーの前上カバー先割れグリップが扇転自在に連結され、覆い装着梁の後ろ上カバー連結軸と後ろ上カバーの後ろ上カバー先割れグリップが扇転自在に連結され、前上カバーの前横カバー連結軸と、前横カバーの前横カバー先割れグリップが連結され前上カバーと前横カバーは折り畳み自在であって、後ろ上カバーの後ろ横カバー連結軸と、後ろ横カバーの後ろ横カバー先割れグリップが連結されて後ろ上カバーと後ろ横カバーは畳み自在であって、前横カバーと後ろ横カバーの両者と、覆い装着梁との間に平行移動バーを装着して、覆い装着梁にスプリング梁を形成して、前上カバーと後ろ上カバーにスプリング留を設けて、スプリング梁とスプリング留間にスプリングが装着されている事を特徴とする粘着テープ清掃用具。
【請求項５】
前記覆い装着梁に前上カバー連結軸と後ろ上カバー連結軸を形成して、前上カバーに前上カバー先割れグリップを設け、前上カバー連結軸に前上カバー先割れグリップを係止して、後ろ上カバーに後ろ上カバー先割れグリップを設け、後ろ上カバー連結軸に後ろ上カバー先割れグリップを係止する、と共に、前上カバーに前横カバー連結軸を設け、前横カバーに前横カバー先割れグリップ形成して、前横カバー連結軸に前横カバー先割れグリップを係止して、後ろ上カバーに後ろ横カバー連結軸を設け、後ろ横カバーに後ろ横カバー先割れグリップ形成して、後ろ横カバー連結軸に後ろ横カバー先割れグリップを係止して、４分割された覆い状態である事を特徴とする請求項４に記載の粘着テープ清掃用具。
【請求項６】
前記覆い装着梁にスプリング梁を形成して、前上カバーと後ろ上カバーにスプリングスペースを設け、スプリングスペースにスプリング留を設け、スプリング梁とスプリング留間にスプリングを装着して、前横カバーと後ろ横カバーにフィンガーレバーを形成する、と共に、平行移動バーの両端に平行移動バー先割れグリップを形成して、覆い装着梁に平行移動バー上軸を設け、前横カバーと後ろ横カバーに平行移動バー下軸を設けて、平行移動バー一端の平行移動バー先割れグリップを平行移動バー上軸に係止し、平行移動バー他端の平行移動バー先割れグリップを平行移動バー下軸に係止して、前横カバーと後ろ横カバーを平行移動する事を特徴とする請求項４又は請求項５に記載の粘着テープ清掃用具。
【請求項７】
支持グリップに支持グリップエンドから延長竿を挿入する為の延長竿穴と延長竿フックホールを設けて、延長竿に延長竿フックを形成して、延長竿フックホールに延長竿フックを脱着容易に係止する事を特徴とする請求項４乃至請求項６のいずれかに記載の粘着テープ清掃用具。
【発明の詳細な説明】
【技術分野】
【０００１】
粘着テープの粘着面に微細な塵を粘着して清掃する粘着テープが支持具により回転自在に成っていて、使用後直ちに立置きできる清掃用具に関する。
【背景技術】
【０００２】
粘着テープが支持具により回転自在に成っていて、使用後直ちに立置きできるスタンド一体型粘着テープ清掃用具は、従来、支持具の持ち手部分方向に粘着テープの覆い全体を引き寄せる構造、又、覆いの前と後ろ面を折り返すものが見られる。
【０００３】
しかしながら、従来の粘着テープの覆い全体を引き寄せる構造又は、粘着テープ使用時覆いが邪魔になる、覆いの前と後ろ面を折り返す構造では覆いの裏側が見える、欠点があった。
【先行技術文献】
【特許文献】
【０００４】
【特許文献１】実願２０１２−６８２４
【特許文献２】特開２００３−１９００６６
【非特許文献】
【０００５】
【非特許文献１】YAMAZAKI  環境用品総合カタログ２０１４、山崎産業株式会社    カタログ２０１４、ｐ８１  ニューエースローラーＣＬ４０５−０００Ｘ−ＭＢ
【非特許文献２】sm@rt357PI 粘着ローラーＨ  アズマ工業株式会社
【発明の概要】
【発明が解決しようとする課題】
【０００６】
特許文献１は、本出願と同じ分野のものが出願されていて、特許文献１は支持具の持ち手部分方向に粘着テープの覆い全体を引き寄せる構造機能に成っている、しかしながら衣服に付いた微細塵を粘着させる場合覆いが邪魔になる欠点が見受けられる。
【０００７】
特許文献２と非特許文献１は同一の製品で、粘着テープを覆う覆いが２分割されて、２分割された覆いの一方に支持グリップが形成されていて、他方の覆いに２つの軸が設けられ、一方の軸に粘着テープが装着されて他方の軸により２分割された覆いが連結された形状であるが、粘着テープを使用の際に覆いが邪魔になる問題点がある。
【０００８】
非特許文献２は、粘着テープを覆う覆いが３分割されて、前後の覆いを支持グリップ方向に裏返す構造に成っている、しかしながら前後の覆いを支持グリップ方向に裏返す構造であると前後の覆いの接続部と覆いの裏面が見えて見栄えが良くない欠点がある。
【０００９】
本発明は、以上のような従来の欠点に鑑み、粘着テープ清掃用具において、粘着テープの粘着面に微細な塵を粘着して清掃する粘着テープが支持具により回転自在に成っていて、粘着テープを覆う上カバーと横カバーがスタンド機能を成して、粘着テー使用時に上カバーと横カバーはリフトハンドルにより一回で折り畳み出来て、粘着テープ使用後はハンドルフック解除ボタンを押し、ハンドルフックとハンドルフック穴の係止を解除して、ワンタッチで復旧して立置きできるスタンド一体型粘着テープ清掃用具を提供することで解消した。
【課題を解決するための手段】
【００１０】
請求項１は、粘着テープ清掃用具において、粘着テープは、支持シャフトと支持アームと支持グリップとテープホルダーからなる支持具により回転自在に成っていて、支持アームにカバーシャフトを溶着して、カバーシャフトに上カバーとカバー拡張スプリングが装着されて、上カバーと粘着テープを覆いリフトバーを有する横カバーとはジョイント軸により扇転自在に繋がっていて、前記リフトバーと、支持シャフトが貫通するリフトハンドルを繋げて、リフトハンドルの移動により上カバーと横カバーは折り畳み自在であって、支持グリップに形成されたハンドルフックとリフトハンドルに設けられたハンドルフック穴は脱着容易に係止出来る粘着テープ清掃用具。
【００１１】
請求項２は、前記リフトバーにリフト穴を設け、前記リフトハンドルには、支持シャフトが貫通するシャフトスライド穴と、シャフトスライド穴の上下にリフトバー空間と、リフト軸が設けてあって、リフト穴にリフト軸挿入して、リフトバーとリフトハンドルを繋いでいる粘着テープ清掃用具。
【００１２】
請求項３は、前記支持グリップに二本の切り込みを設け、切り込み端にハンドルフックと二本の切り込み間に解除ボタンが形成されていて、ハンドルフックとリフトハンドルに設けたハンドルフック穴との係止を解いて、上カバーと横カバーはカバー拡張スプリングにより広げられスタンド機能を成して、支持グリップエンドから穴を形成して穴に延長竿を装着するための螺子山を設けている粘着テープ清掃用具である。
【００１３】
請求項４は、粘着テープ清掃用具において、支持グリップと、覆い装着梁と、サイドアームから成る支持具のサイドアーム端にフィンガーフックとテープホルダー軸を形成して、粘着テープの左右にテープホルダーを装着して、左右のテープホルダーにテープホルダー軸受を設け、テープホルダー軸受にテープホルダー軸を挿入して、粘着テープは回転自在に成っていて、粘着テープを覆う覆いは、前上カバーと、前横カバーと、後ろ上カバーと、後ろ横カバーとに４分割されて、前上カバーと後ろ上カバーはそれぞれ覆い装着梁に扇転自在に連結されていて、前上カバーに前横カバーが、後ろ上カバーに後ろ横カバーがそれぞれ折り畳み自在に連結され、前横カバーと後ろ横カバーの両者と、覆い装着梁との間に平行移動バーを装着して、覆い装着梁にスプリング梁を形成して、前上カバーと後ろ上カバーにスプリン留を設けて、スプリング梁とスプリン留間にスプリングが装着されている粘着テープ清掃用具。
【００１４】
請求項５は、前記、覆い装着梁に前上カバー連結軸と後ろ上カバー連結軸を形成して、前上カバーに前上カバー先割れグリップを設け、前上カバー連結軸に前上カバー先割れグリップを係止して、後ろ上カバーに後ろ上カバー先割れグリップを設け、後ろ上カバー連結軸に後ろ上カバー先割れグリップを係止する、と共に、前上カバーに前横カバー連結軸を設け、前横カバーに前横カバー先割れグリップ形成して、前横カバー連結軸に前横カバー先割れグリップを係止して、後ろ上カバーに後ろ横カバー連結軸を設け、後ろ横カバーに後ろ横カバー先割れグリップ形成して、後ろ横カバー連結軸に後ろ横カバー先割れグリップを係止して、４分割された覆いが屏風状態である粘着テープ清掃用具。
【００１５】
請求項６は、前記、覆い装着梁にスプリング梁を形成して、前上カバーと後ろ上カバーにスプリングスペースを設け、スプリングスペースにスプリン留を設け、スプリング梁とスプリング留間にスプリングを装着して、前横カバーと後ろ横カバーにフィンガーレバーを形成する、と共に、平行移動バーの両端に平行移動バー先割れグリップを形成して、覆い装着梁に平行移動バー上軸を設け、前横カバーと後ろ横カバーに平行移動バー下軸を設けて、平行移動バー一端の平行移動バー先割れグリップを平行移動バー上軸に係止し、平行移動バー他端の平行移動バー先割れグリップを平行移動バー下軸に係止して、前横カバーと後ろ横カバーを平行移動する粘着テープ清掃用具。
【００１６】
請求項７は、支持グリップに支持グリップエンドから延長竿を挿入する為の延長竿穴と延長竿フックホールを設けて、延長竿に延長竿フックを形成して、延長竿フックホールに延長竿フックを脱着容易に係止する粘着テープ清掃用具。
【００１７】
請求項１から請求項３に対応する粘着テープ清掃用具は。
粘着テープ清掃用具において、粘着テープの粘着面に微細な塵を粘着して清掃する粘着テープが支持具により回転自在に成っていて、粘着テープを覆う上カバーと横カバーがスタンド機能を成して、粘着テープ使用時に上カバーと横カバーはリフトハンドルにより折り畳み出来て、使用後直ちに折り畳んだ上カバーと横カバーを支持具により復旧して立置きできる粘着テープ清掃用具である。
【００１８】
支持具は支持グリップと支持シャフトと支持アームとテープホルダーの構成にし、支持アームにカバーシャフトを溶着して、カバーシャフトに前後の上カバーと、上カバーを開く為のカバー拡張スプリングを装着して、前後の上カバーはカバーシャフトを支点として扇転自在であって、前後の上カバーとリフトバーを有する前後の横カバーをジョイント軸に開閉自在に留めて、リフトバーの一端にリフト穴を設ける。
【００１９】
支持シャフトに装着してリフトバーを押し引きするためのリフトハンドルには、中央に支持シャフトが貫通するシャフトスライド穴と、シャフトスライド穴の上下にリフトバーの一端を挿入する空間と、リフト穴を装着する為のリフト軸を設けて、リフト穴にリフト軸挿入して、リフトバーとリフトハンドルを繋いで、リフトハンドルに上下のハンドルフック穴を形成する。
【００２０】
支持グリップに二本の切り込みを設け、切り込み端にハンドルフックと二本の切り込み間にハンドルフック解除ボタンを形成して、支持グリップにリフトハンドルを引き寄せて、ハンドルフックをフック穴に脱着容易に係止する。
支持グリップエンドに延長竿を装着するための螺子山を設ける。
【００２１】
請求項４から請求項７に対応する粘着テープ清掃用具は。
粘着テープ清掃用具において、粘着テープの粘着面に微細な塵を粘着して清掃する粘着テープが支持具により回転自在に成っていて、粘着テープを覆う覆いは、前上カバーと前横カバーと、後ろ上カバーと、後ろ横カバーとに４分割されていて、前上カバーと後ろ上カバーはそれぞれ支持具に扇転自在に連結されていて、前上カバーに前横カバーが、後ろ上カバーに後ろ横カバーがそれぞれ折り畳み自在に連結されている。
【００２２】
支持具は、支持グリップと、前上カバーと後ろ上カバーを装着する覆い装着梁と、粘着テープを左右から挟むサイドアームの構成にして、粘着テープの左右にテープホルダーを装着して、左右のテープホルダーにテープホルダー軸受を設け、左右のサイドアーム端内向きにテープホルダー軸を形成して、テープホルダー軸受にテープホルダー軸を挿入する。
【００２３】
覆い装着梁に前上カバーを連結する為の前上カバー連結軸と、後ろ上カバーを連結する為の後ろ上カバー連結軸を形成して、前上カバーに前上カバー先割れグリップを設け、前上カバー連結軸に前上カバー先割れグリップを係止して、前上カバーは前上カバー連結軸を扇転軸として扇転自在であって、後ろ上カバーに後ろ上カバー先割れグリップを設け、後ろ上カバー連結軸に後ろ上カバー先割れグリップを係止して、後ろ上カバーは後ろ上カバー連結軸を扇転軸として扇転自在にする。
【００２４】
前上カバーに前横カバーを連結する為の前横カバー連結軸を設け、前横カバーに前横カバー先割れグリップ形成して、前横カバー連結軸に前横カバー先割れグリップを係止し、前上カバーと前横カバーは開閉自在であって、後ろ上カバーに後ろ横カバーを連結する為の後ろ横カバー連結軸を設け、後ろ横カバーに後ろ横カバー先割れグリップ形成して、後ろ横カバー連結軸に後ろ横カバー先割れグリップを係止し、後ろ上カバーと後ろ横カバーは開閉自在に成っている。
【００２５】
前横カバーと後ろ横カバーを平行移動する為の平行移動バーの両端に平行移動バー先割れグリップを形成して、覆い装着梁に平行移動バー上軸を設け、前横カバーと後ろ横カバーに平行移動バー下軸を設けて、平行移動バー一端の平行移動バー先割れグリップを平行移動バー上軸に係止し、平行移動バー他端の平行移動バー先割れグリップを平行移動バー下軸に係止する。
【００２６】
覆い装着梁にスプリング梁を形成して、前上カバーと後ろ上カバーにスプリングスペースを設けスプリングスペースにスプリン留を設け、スプリング梁とスプリング留間にスプリングを装着して、前横カバーと後ろ横カバーにフィンガーレバーを形成する。
【００２７】
支持グリップに支持グリップエンドから延長竿を挿入する為の延長竿穴と延長竿フックホールを設けて、延長竿に延長竿フックを形成して、延長竿フックホールに延長竿フックを脱着容易に係止する
【発明の効果】
【００２８】
以下図面に基づき説明する。
図１−６図符合１−２１は、粘着テープ清掃用具において、粘着テープの粘着面に微細な塵を粘着して清掃する粘着テープ(１)が支持具(２)により回転自在に成っていて、支持具(２)は支持グリップ(５)と支持シャフト(６)と支持アーム(７)とテープホルダー(８)の構成にし、支持アーム(７)にカバーシャフト(９)を溶着して、カバーシャフト(９)にカバー拡張スプリング(１０)と、前後の上カバー(３)を扇転自在に装着することにおいて、前後の上カバー(３)はカバーシャフト(９)を支点として開閉自在に出来る。
【００２９】
前後の上カバー(３)とリフトバー(１１)を有する前後の横カバー(４)をジョイント軸(１２)で繋ぐことにおいて、前後の上カバー(３)と前後の横カバー(４)はジョイント軸(１２)を支点として開閉自在になる。
【００３０】
リフトバー(１１)の一端にリフト穴(１３)を設けて、リフトハンドル(１４)には、中央に支持シャフト(６)が貫通するシャフトスライド穴(１５)と、シャフトスライド穴(１５)の上下にリフトバー(１１)の一端を挿入する空間と、リフト穴(１３)を装着する為のリフト軸(１６)を設けて、リフト穴(１３)にリフト軸(１６)挿入して、リフトバー(１１)とリフトハンドル(１４)を繋いでいることにおいて、リフトハンドル(１４)を支持シャフト(６)に沿って押し引きして上カバー(３)と横カバー(４)を折り畳み出来る。
【００３１】
リフトハンドル(１４)にハンドルフック穴(１７)を形成して、支持グリップ(５)に二本の切り込み(１８)を設け、切り込み(１８)端にハンドルフック(１９)と二本の切り込み(１８)間にハンドルフック(１９)解除ボタン(２０)を形成することにおいて、支持グリップ(５)にリフトハンドル(１４)を引き寄せて、ハンドルフック(１９)をハンドルフック穴(１７)に係止出来る。
【００３２】
支持グリップ(５)エンドから穴を形成して穴に螺子山(２１)を設けることにおいて、支持グリップ(５)エンドに延長竿を装着出来る。
【００３３】
図７−１５図符合２２−５５は、粘着テープ(２２)を覆う覆いは、前上カバー(２４)と前横カバー(２５)と、後ろ上カバー(２６)と、後ろ横カバー(２７)とに４分割されていて、前上カバー(２４)と後ろ上カバー(２６)はそれぞれ支持具(２３)に扇転自在に連結されていて、前上カバー(２４)に前横カバー(２５)が、後ろ上カバー(２６)に後ろ横カバー(２７)がそれぞれ連結されていることにおいて、前上カバー(２４)と前横カバー(２５)が、後ろ上カバー(２６)と後ろ横カバー(２７)が折り畳み自在に出来る。
【００３４】
支持具(２３)は、支持グリップ(２８)と、前上カバー(２４)と後ろ上カバー(２６)を装着する覆い装着梁(２９)と、粘着テープ(２２)を左右から挟むサイドアーム(３０)の構成にして、粘着テープ(２２)の左右にテープホルダー(３１)を装着して、左右のテープホルダー(３１)にテープホルダー軸受(３２)を設け、左右のサイドアーム(３０)端内向きにテープホルダー軸(３３)を形成して、テープホルダー軸受(３２)にテープホルダー軸を(３３)を挿入することにおいて、粘着テープ(２２)を支持具(２３)により回転自在に出来る。
【００３５】
覆い装着梁(２９)に前上カバー(２４)を連結する為の前上カバー連結軸(３４)と、後ろ上カバー(２６)を連結する為の後ろ上カバー連結軸(３５)を形成して、前上カバー(２４)に前上カバー先割れグリップ(３６)を設け、前上カバー連結軸(３４)に前上カバー先割れグリップ(３６)を係止することにおいて、前上カバー(２４)は前上カバー連結軸(３４)を扇転軸として扇転自在であって、後ろ上カバー(２６)に後ろ上カバー先割れグリップ(３７)を設け、後ろ上カバー連結軸(３５)に後ろ上カバー先割れグリップ(３７)を係止することにおいて、後ろ上カバー(２６)は後ろ上カバー連結軸(３５)を扇転軸として扇転自在に成る。
【００３６】
前上カバー(２４)に前横カバー(２５)を連結する為の前横カバー連結軸(３８)を設け、前横カバー(２５)に前横カバー先割れグリップ(３９)形成して、前横カバー連結軸(３８)に前横カバー先割れグリップ(３９)を係止することにおいて、前上カバー(２４)と前横カバー(２５)は開閉自在であって、後ろ上カバー(２６)に後ろ横カバー(２７)を連結する為の後ろ横カバー連結軸(４０)を設け、後ろ横カバー(２５)に後ろ横カバー先割れグリップ(４１)形成して、後ろ横カバー連結軸(４０)に後ろ横カバー先割れグリップ(４１)を係止することにおいて、後ろ上カバー(２６)と後ろ横カバー(２７)は開閉自在に出来る。
【００３７】
平行移動バー(４２)の両端に平行移動バー先割れグリップ(４３)を形成して、覆い装着梁(２９)に平行移動バー上軸(４４)を設け、前横カバー(２５)と後ろ横カバー(２７)に平行移動バー下軸(４５)を設けて、平行移動バー(４２)一端の平行移動バー先割れグリップ(４３)を平行移動バー上軸(４４)に係止し、平行移動バー(４２)他端の平行移動バー先割れグリップ(４３)を平行移動バー下軸(４５)に係止することにおいて、前横カバー(２５)と後ろ横カバー(２７)は平行移動する。
【００３８】
覆い装着梁(２９)にスプリング梁(４６)を形成して、前上カバー(２４)と後ろ上カバー(２６)にスプリングスペース(４７)を設けスプリングスペース(４７)にスプリング留(４８)を設け、スプリング梁(４６)とスプリング留(４８)間にスプリング(４９))を装着して、前横カバー(２５)と後ろ横カバー(２７)にフィンガーレバー(５０))を形成することにおいて、スプリング留(４８)が覆い装着梁(２９)と前上カバー連結軸(３４)又は後ろ上カバー連結軸(３５)とを結ぶ線の延長線より上にある場合は前上カバー(２４)又は後ろ上カバー(２６)は上に移動して、４分割された覆いは折り畳まれ、下にある場合は前上カバー(２４)又は後ろ上カバー(２６)は、前横カバー(２５)又は後ろ横カバー(２７)の左右面がサイドアーム(３０)に当たる迄下に移動する。
【００３９】
支持グリップ(２８)に支持グリップエンドから延長竿(５２)を挿入する延長竿穴(５３)と延長竿フックホール(５４)を設けて、延長竿(５２)に延長竿フック(５５)を形成していることにおいて、延長竿フックホール(５４)に延長竿フック(５５)を脱着容易に係止出来る。
【図面の簡単な説明】
【００４０】
【図１】支持具(２)と上カバー(３)と横カバー(４)の正面図、切断線Ａ−Ａ線を示す。
【図２】支持具(２)と上カバー(３)と横カバー(４)の右側面図、切断線Ｂ−Ｂ線を示す。
【図３】支持グリップ(５)とリフトハンドル(１４)と上カバー(３)の平面図。
【図４】図１のＡ−Ａ線切断部端面図。
【図５】図１のＡ−Ａ線切断部端面図、支持グリップ(５)にリフトハンドル(１４)を引き寄せて、ハンドルフック(１９)をハンドルフック穴(１７)に係止している。
【図６】図２のＢ−Ｂ線切断部端面図。
【図７】支持具(２３)と前上カバー(２４)と前横カバー(２５)の正面図、切断線Ｃ−Ｃ線を示す。
【図８】支持具(２３)と前横カバー(２５)と後ろ横カバー(２７)とサイドアーム(３０)の右側面図、切断線Ｄ−Ｄ線を示す。
【図９】支持具(２３)と前横カバー(２５)と後ろ横カバー(２７)とサイドアーム(３０)の右側面図、前上カバー(２４)と前横カバー(２５)、後ろ上カバー(２６)と後ろ横カバー(２７)を折り畳んでいる。
【図１０】図７のＣ−Ｃ線切断部端面図。
【図１１】図８のＤ−Ｄ線切断部端面図。
【図１２】図８のＤ−Ｄ線切断部端面図、前上カバー(２４)と前横カバー(２５)、後ろ上カバー(２６)と後ろ横カバー(２７)を折り畳んでいる。
【図１３】支持具(２３)と前上カバー(２４)と前横カバー(２５)の参考正面図、前上カバー連結軸(３４)と、前横カバー連結軸(３８)と、平行移動バー上軸(４４)と、平行移動バー(４２)を示す。
【図１４】前横カバー(２５)と後ろ横カバー(２７)と前横カバー(２５)と後ろ横カバー(２７)を示す参考右側面図、
【図１５】前上カバー(２４)と前横カバー(２５)、後ろ上カバー(２６)と後ろ横カバー(２７)を折り畳んでいる参考右側面図。
【発明を実施するための形態】
【００４１】
以下図面に基づき説明する。
図１−６図符合１−２１は、粘着テープ清掃用具において、粘着テープの粘着面に微細な塵を粘着して清掃する粘着テープ(１)が支持具(２)により回転自在に成っていて、粘着テープ(１)を覆う上カバー(３)と横カバー(４)がスタンド機能を成して、粘着テープ(１)使用時に上カバー(３)と横カバー(４)はリフトハンドル(１４)により折り畳み出来て、使用後直ちに折り畳んだ上カバー(３)と横カバー(４)をリフトハンドル(１４)により復旧して立置きできる粘着テープ清掃用具である。
【００４２】
支持具(２)は支持グリップ(５)と支持シャフト(６)と支持アーム(７)とテープホルダー(８)の構成にし、支持アーム(７)にカバーシャフト(９)を溶着して、カバーシャフト(９)に前後の上カバー(３)と、上カバー(３)を開く為のカバー拡張スプリング(１０)を装着して、前後の上カバー(３)はカバーシャフト(９)を支点として扇転自在であって、前後の上カバー(３)とリフトバー(１１)を有する前後の横カバー(４)をジョイント軸(１２)に開閉自在に留めて、リフトバー(１１)の一端にリフト穴(１３)を設ける。
【００４３】
支持シャフト(６)に装着してリフトバー(１１)を押し引きするためのリフトハンドル(１４)には、中央に支持シャフト(６)が貫通するシャフトスライド穴(１５)と、シャフトスライド穴(１５)の上下にリフトバー(１１)の一端を挿入する空間と、リフト穴(１３)を装着する為のリフト軸(１６)を設けて、リフト穴(１３)にリフト軸(１６)挿入して、リフトバー(１１)とリフトハンドル(１４)を繋いで、リフトハンドル(１４)に上下のハンドルフック穴(１７)を形成する。
【００４４】
支持グリップ(５)に二本の切り込み(１８)を設け、切り込み(１８)端にハンドルフック(１９)と二本の切り込み(１８)間にハンドルフック(１９)解除ボタン(２０)を形成して、支持グリップ(５)にリフトハンドル(１４)を引き寄せて、ハンドルフック(１９)をフック穴(１７)に脱着容易に係止する。
支持グリップ(５)エンドから穴を形成して穴に延長竿を装着するための螺子山(２１)を設ける。
【００４５】
図１−図６符合１−２１の粘着テープ清掃用具の使用方法は、粘着テープ清掃用具が立置されている場合からの使用は、支持グリップ(５)方向にリフトハンドル(１４)を移動すると、移動する力はリフト軸(１６)からリフトバー(１１)と横カバー(４)に伝わり、横カバー(４)からジョイント軸(１２)を経て上カバー(３)へと伝わって、上下の上カバー(３)はカバーシャフト(９)を支点として扇転し開く、と共に、上カバー(３)と横カバー(４)はジョイント軸(１２)を支点として徐々に閉じて、更に支持グリップ(５)にリフトハンドル(１４)を引き寄せて、ハンドルフック(１９)をハンドルフック穴(１７)に係止することにより粘着テープは使用可能状態になる。
【００４６】
粘着テープ使用後はハンドルフック(１９)解除ボタン(２０)を押し、ハンドルフック(１９)とハンドルフック穴(１７)の係止を解除する、と共に、カバーシャフト(９)に装着されたカバー拡張スプリング(１０)により開いていた上カバー(３)は徐々に閉じて、リフトハンドル(１４)がカバーシャフト(９)に装着された上カバー(３)に当たって立置き可能状態になる。
【００４７】
図７−１５図符合２２−５５は、粘着テープ清掃用具において、粘着テープの粘着面に微細な塵を粘着して清掃する粘着テープ(２２)が支持具(２３)により回転自在に成っていて、粘着テープ(２２)を覆う覆いは、前上カバー(２４)と前横カバー(２５)と、後ろ上カバー(２６)と、後ろ横カバー(２７)とに４分割されていて、前上カバー(２４)と後ろ上カバー(２６)はそれぞれ支持具(２３)に扇転自在に連結されていて、前上カバー(２４)に前横カバー(２５)が、後ろ上カバー(２６)に後ろ横カバー(２７)がそれぞれ折り畳み自在に連結されている。
【００４８】
支持具(２３)は、支持グリップ(２８)と、前上カバー(２４)と後ろ上カバー(２６)を装着する覆い装着梁(２９)と、粘着テープ(２２)を左右から挟むサイドアーム(３０)の構成にして、粘着テープ(２２)の左右にテープホルダー(３１)を装着して、左右のテープホルダー(３１)にテープホルダー軸受(３２)を設け、左右のサイドアーム(３０)端内向きにテープホルダー軸(３３)を形成して、テープホルダー軸受(３２)にテープホルダー軸を(３３)を挿入する。
【００４９】
覆い装着梁(２９)に前上カバー(２４)を連結する為の前上カバー連結軸(３４)と、後ろ上カバー(２６)を連結する為の後ろ上カバー連結軸(３５)を形成して、前上カバー(２４)に前上カバー先割れグリップ(３６)を設け、前上カバー連結軸(３４)に前上カバー先割れグリップ(３６)を係止して、前上カバー(２４)は前上カバー連結軸(３４)を扇転軸として扇転自在であって、後ろ上カバー(２６)に後ろ上カバー先割れグリップ(３７)を設け、後ろ上カバー連結軸(３５)に後ろ上カバー先割れグリップ(３７)を係止して、後ろ上カバー(２６)は後ろ上カバー連結軸(３５)を扇転軸として扇転自在に成る。
【００５０】
前上カバー(２４)に前横カバー(２５)を連結する為の前横カバー連結軸(３８)を設け、前横カバー(２５)に前横カバー先割れグリップ(３９)形成して、前横カバー連結軸(３８)に前横カバー先割れグリップ(３９)を係止し、前上カバー(２４)と前横カバー(２５)は前横カバー連結軸(３８) を扇転軸として開閉自在であって、後ろ上カバー(２６)に後ろ横カバー(２７)を連結する為の後ろ横カバー連結軸(４０)を設け、後ろ横カバー(２５)に後ろ横カバー先割れグリップ(４１)形成して、後ろ横カバー連結軸(４０)に後ろ横カバー先割れグリップ(４１)を係止し、後ろ上カバー(２６)と後ろ横カバー(２７)は後ろ横カバー連結軸(４０) を扇転軸として開閉自在に成っている。
【００５１】
前横カバー(２５)と後ろ横カバー(２７)を平行移動する為の平行移動バー(４２)の両端に平行移動バー先割れグリップ(４３)を形成して、覆い装着梁(２９)に平行移動バー上軸(４４)を設け、前横カバー(２５)と後ろ横カバー(２７)に平行移動バー下軸(４５)を設けて、平行移動バー(４２)一端の平行移動バー先割れグリップ(４３)を平行移動バー上軸(４４)に係止し、平行移動バー(４２)他端の平行移動バー先割れグリップ(４３)を平行移動バー下軸(４５)に係止する。
【００５２】
覆い装着梁(２９)にスプリング梁(４６)を形成して、前上カバー(２４)と後ろ上カバー(２６)にスプリングスペース(４７)を設けスプリングスペース(４７)にスプリング留(４８)を設け、スプリング梁(４６)とスプリング留(４８)間にスプリング(４９))を装着して、前横カバー(２５)と後ろ横カバー(２７)にフィンガーレバー(５０))を形成して、左右のサイドアーム(３０)端外向きにフィンガーフック(５１)を設ける。
【００５３】
支持グリップ(２８)に支持グリップエンドから延長竿(５２)を挿入する為の延長竿穴(５３)と延長竿フックホール(５４)を設けて、延長竿(５２)に延長竿フック(５５)を形成して、延長竿フックホール(５４)に延長竿フック(５５)を脱着容易に係止する。
【００５４】
図７−１５図符合２２−５５の粘着テープ清掃用具の使用方法は、一方の手で支持グリップ(２８)を掴んで他方の手の指で前横カバー(２５)のフィンガーレバー(５０))を支持グリップ(２８)方向に移動する、と共に、前横カバー(２５)と前上カバー(２４)は、前横カバー連結軸(３８)を扇転軸として扇転して閉じて、後ろ横カバー(２７)のフィンガーレバー(５０))を支持グリップ(２８)方向に移動する、と共に、後ろ横カバー(２７)と後ろ上カバー(２６)は、後ろ横カバー連結軸(４０)を扇転軸として閉じて粘着テープ清掃用具は使用可能状態になる。
【００５５】
粘着テープ(２２)の取り替えは、左右のサイドアーム(３０)端外向きに設けられたフィンガーフック(５１)を指で外向きに広げると、左右のサイドアーム(３０)端内向きに形成されたテープホルダー軸(３３)がテープホルダー軸受(３２)から外れて粘着テープの取り替えが出来る。
【産業上の利用可能性】
【００５６】
塗料塗りローラー支持具、ワックス塗りローラー支持具に使用可能。
【符号の説明】
【００５７】
１  粘着テープ
２  支持具
３  上カバー
４  横カバー
５  支持グリップ
６  支持シャフト
７  支持アーム
８  テープホルダー  
９  カバーシャフト
１０  カバー拡張スプリング
１１  リフトバー
１２  ジョイント軸
１３  リフト穴
１４  リフトハンドル
１５  シャフトスライド穴
１６  リフト軸
１７  ハンドルフック穴
１８  切り込み
１９  ハンドルフック
２０  解除ボタン
２１  螺子
２２  粘着テープ
２３  支持具
２４  前上カバー
２５  前横カバー
２６  後ろ上カバー
２７  後ろ横カバー
２８  支持グリップ
２９  覆い装着梁
３０  サイドアーム
３１  テープホルダー
３２  テープホルダー軸受
３３  テープホルダー軸
３４  前上カバー連結軸
３５  後ろ上カバー連結軸
３６  前上カバー先割れグリップ
３７  後ろ上カバー先割れグリップ
３８  前横カバー連結軸
３９  前横カバー先割れグリップ
４０  後ろ横カバー連結軸
４１  後ろ横カバー先割れグリップ
４２  平行移動バー
４３  平行移動バー先割れグリップ
４４  平行移動バー上軸
４５  平行移動バー下軸
４６  スプリング梁
４７  スプリングスペース  
４８  スプリング留
４９  スプリング
５０  フィンガーレバー
５１  フィンガーフック
５２  延長竿
５３  延長竿穴
５４  延長竿フックホール
５５  延長竿フック
【図１】
0006635580.tif 000002
【図２】
0006635580.tif 000003
【図３】
0006635580.tif 000004
【図４】
0006635580.tif 000005
【図５】
0006635580.tif 000006
【図６】
0006635580.tif 000007
【図７】
0006635580.tif 000008
【図８】
0006635580.tif 000009
【図９】
0006635580.tif 000010
【図１０】
0006635580.tif 000011
【図１１】
0006635580.tif 000012
【図１２】
0006635580.tif 000013
【図１３】
0006635580.tif 000014
【図１４】
0006635580.tif 000015
【図１５】
0006635580.tif 000016